(57)【要約】【課題】  従来、撮影装置とは別にＩＣレコーダなどの録音装置を用意することで、録音と撮影を独立に行うことができるが、撮影データと録音データとを関連付けるには、別の機器を使用して両方の記録媒体からデータを取り出して処理する必要があった。【解決手段】  分離した録音部３と撮影部２とを結合させた際に、撮影用マイクロコントローラ２１により、録音バッファメモリ３５に記録された音声データと記録部２６に記録された画像データとを関連付ける関連データが作成されて記録される。このため、記録部２６に記録された画像データと録音バッファメモリ３５に記録された録音データとを関連付けるために、従来のように別の機器を使用して処理する必要はなくなる。【選択図】  図２
2011039379.tif 000002
【特許請求の範囲】
【請求項１】
被写体を撮影する撮影手段、および前記撮影手段によって撮影された画像を画像データとして記録する画像データ記録手段から構成される撮影部と、
周囲の音を集音する集音手段、および前記集音手段によって集音された音を音声データとして記録する音声データ記録手段から構成され、前記撮影部から分離した状態で前記集音手段および前記音声データ記録手段が動作可能な録音部と、
分離した前記録音部が前記撮影部と結合した際に前記音声データ記録手段に記録された音声データと前記画像データ記録手段に記録された画像データとを関連付ける関連データを作成して記録する関連データ作成記録手段とを備えている録音機能付撮影装置。
【請求項２】
請求項１に記載の録音機能付撮影装置において、
前記録音部と前記撮影部との結合状態を検出する結合状態検出手段と、
前記結合状態検出手段により検出された状態に応じて前記撮影手段を用いた撮影動作または前記音声データ記録手段を用いた録音動作に対する制御を変える制御手段とを備えていることを特徴とする録音機能付撮影装置。
【請求項３】
請求項２に記載の録音機能付撮影装置において、
前記制御手段は、前記結合状態検出手段により前記録音部と前記撮影部とが結合している状態が検出されると、前記撮影手段に被写体像を取り込む光学系の位置を調節する駆動部の駆動速度を制限する制御を行うことを特徴とする録音機能付撮影装置。
【請求項４】
請求項２に記載の録音機能付撮影装置において、
前記制御手段は、前記結合状態検出手段により前記録音部と前記撮影部とが結合している状態が検出されると、前記撮影手段に被写体像を取り込む光学系の位置を調節する駆動部が発生する雑音の周波数帯域において、前記音声データ記録手段が録音する音の録音レベルを低減する制御を行うことを特徴とする録音機能付撮影装置。
【請求項５】
被写体を撮影する撮影手段、および前記撮影手段によって撮影された画像を画像データとして記録する画像データ記録手段から構成される撮影部と、
周囲の音を集音する集音手段、および前記集音手段によって集音された音を音声データとして記録する音声データ記録手段から構成され、前記撮影部から分離した状態で前記集音手段および前記音声データ記録手段が動作可能な録音部と、
前記録音部と前記撮影部との結合状態を検出する結合状態検出手段と、
前記結合状態検出手段により検出された状態に応じて前記撮影手段を用いた撮影動作または前記音声データ記録手段を用いた録音動作に対する制御を変える制御手段とを備えている録音機能付撮影装置。
【発明の詳細な説明】
【技術分野】
【０００１】
本発明は、撮影部と録音部とを備えた録音機能付撮影装置に関するものである。
【背景技術】
【０００２】
従来、この種の録音機能付撮影装置としては、例えば、特許文献１に開示された音声記録再生機器がある。この音声記録再生機器には、撮影手段と録音手段とが備えられている。この音声記録再生機器で録音手段を用いて音声の録音を行う場合、使用者は、その音声を表す特徴的な画像をアイコン画像として撮影手段によって撮影する。音声記録再生機器は、記録制御部により、使用者が撮影したアイコン画像のデータを録音した音声のデータに対応付けて記録手段に記録する。使用者は、アイコン画像により、記録手段内に記録された音声データの内容を直感的に認識したり、視覚的に検索することが可能となる。
【先行技術文献】
【特許文献】
【０００３】
【特許文献１】特開２００４−２６６５３５号公報
【発明の概要】
【発明が解決しようとする課題】
【０００４】
しかしながら、上記従来の音声記録再生機器は、撮影手段と録音手段とが一体に形成されているため、録音手段で録音している最中に撮影に最適な瞬間が訪れたとしても、録音している位置から最適な撮影を行えない場合がある。例えば、音源に近い位置で録音している最中に、音源から離れた位置で被写体の全体を最適に撮影することはできない。録音中であっても、撮影位置やフレーミングなど、撮影に制約が発生しないことが望ましい。
【０００５】
また、撮影装置とは別にＩＣレコーダなどの録音装置を用意することで、録音と撮影を独立に行うことができる。しかし、この場合には、撮影装置で撮影した撮影データと録音装置で録音した録音データとが、各装置に設けられた別々の記録媒体に記録される。このため、撮影データと録音データとを関連付けるには、別の機器を使用して両方の記録媒体からデータを取り出して処理する必要があった。
【課題を解決するための手段】
【０００６】
本発明は、このような課題を解決するためになされたもので、
被写体を撮影する撮影手段、および撮影手段によって撮影された画像を画像データとして記録する画像データ記録手段から構成される撮影部と、
周囲の音を集音する集音手段、および集音手段によって集音された音を音声データとして記録する音声データ記録手段から構成され、撮影部から分離した状態で集音手段および音声データ記録手段が動作可能な録音部と、
分離した録音部が撮影部と結合した際に音声データ記録手段に記録された音声データと画像データ記録手段に記録された画像データとを関連付ける関連データを作成して記録する関連データ作成記録手段とを備えて、録音機能付撮影装置を構成した。
【０００７】
この構成によれば、分離した録音部を撮影部と結合させた際に、関連データ作成記録手段により、音声データ記録手段に記録された音声データと画像データ記録手段に記録された画像データとを関連付ける関連データが作成されて記録される。このため、画像データ記録手段に記録された画像データと音声データ記録手段に記録された録音データとを関連付けるために、従来のように別の機器を使用して処理する必要はなくなる。また、録音部は、撮影部から分離した状態で集音手段および音声データ記録手段が動作可能なため、撮影者は、録音している位置からの撮影が最適でない場合に、録音部と撮影部を分離させて撮影に最適な位置に撮影部を移動させて撮影が行える。このため、録音中であっても、撮影位置やフレーミングなど、撮影に制約が発生することはない。
【０００８】
また、本発明は、録音部と撮影部との結合状態を検出する結合状態検出手段と、
結合状態検出手段により検出された状態に応じて撮影手段を用いた撮影動作または音声データ記録手段を用いた録音動作に対する制御を変える制御手段とを備えていることを特徴とする。
【０００９】
この構成によれば、制御手段により、録音部と撮影部との結合状態に応じて、撮影動作または録音動作に対する制御が変えられる。このため、録音部と撮影部とが結合した状態と分離した状態とに応じて、それぞれ最適な撮影データまたは音声データを取得する制御が行われる。
【００１０】
また、本発明は、制御手段が、結合状態検出手段により録音部と撮影部とが結合している状態が検出されると、撮影手段に被写体像を取り込む光学系の位置を調節する駆動部の駆動速度を制限する制御を行うことを特徴とする。
【００１１】
この構成によれば、結合状態検出手段によって録音部と撮影部とが結合している状態が検出されると、撮影手段に被写体像を取り込む光学系の位置を調節する駆動部の駆動速度を制限する制御が制御手段によって行われる。このため、録音部と撮影部とが結合している状態では、駆動部が発生する雑音が小さくなって、録音部によって記録される音声データに雑音が混じり難くなり、録音の音質を向上させることができる。また、録音部と撮影部とが分離した状態では、撮影部で、光学系の位置を調節する駆動部の駆動速度を制限する制御が行われず、光学系の位置調節は、録音しないで撮影を行う場合と同じ速度で行われる。このため、録音部を分離して撮影を行う場合においては、光学系の位置調節が迅速に行われるため、撮影機会を逃してしまう状況を低減させることができる。
【００１２】
また、本発明は、制御手段が、結合状態検出手段により録音部と撮影部とが結合している状態が検出されると、撮影手段に被写体像を取り込む光学系の位置を調節する駆動部が発生する雑音の周波数帯域において、音声データ記録手段が録音する音の録音レベルを低減する制御を行うことを特徴とする。
【００１３】
この構成によれば、結合状態検出手段によって録音部と撮影部とが結合している状態が検出されると、撮影手段に被写体像を取り込む光学系の位置を調節する駆動部が発生する雑音の周波数帯域において、音声データ記録手段が録音する音の録音レベルを低減させる制御が制御手段によって行われる。このため、録音部と撮影部とが結合している状態では、駆動部が発生する雑音の録音レベルが低下し、録音の音質を向上させることができる。
【００１４】
また、本発明は、被写体を撮影する撮影手段、および撮影手段によって撮影された画像を画像データとして記録する画像データ記録手段から構成される撮影部と、
周囲の音を集音する集音手段、および集音手段によって集音された音を音声データとして記録する音声データ記録手段から構成され、撮影部から分離した状態で集音手段および音声データ記録手段が動作可能な録音部と、
録音部と撮影部との結合状態を検出する結合状態検出手段と、
結合状態検出手段により検出された状態に応じて撮影手段を用いた撮影動作または音声データ記録手段を用いた録音動作に対する制御を変える制御手段とを備えて、録音機能付撮影装置を構成した。
【００１５】
この構成によれば、制御手段によって、録音部と撮影部との結合状態に応じて、撮影動作または録音動作に対する制御が変えられる。このため、録音部と撮影部とが結合した状態と分離した状態とに応じて、それぞれ最適な撮影データまたは音声データを取得する制御が行われる。また、録音部は、撮影部から分離した状態で集音手段および音声データ記録手段が動作可能なため、撮影者は、録音している位置からの撮影が最適でない場合に、録音部と撮影部を分離させて撮影に最適な位置に撮影部を移動させて撮影が行える。このため、録音中であっても、撮影位置やフレーミングなど、撮影に制約が発生することはない。
【発明の効果】
【００１６】
本発明によれば、上記のように、画像データ記録手段に記録された画像データと音声データ記録手段に記録された録音データとを関連付けるために、従来のように別の機器を使用して処理する必要はなくなる。また、撮影者は、録音している位置からの撮影が最適でない場合に、録音部と撮影部を分離させて撮影に最適な位置に撮影部を移動させて撮影が行え、録音中であっても、撮影位置やフレーミングなど、撮影に制約が発生することはない。
【図面の簡単な説明】
【００１７】
【図１】本発明の一実施形態によるデジタルカメラの外観の略図を示し、（ａ）はデジタルカメラの正面図、（ｂ）はデジタルカメラの背面図、（ｃ）はデジタルカメラを分離させた状態の正面図である。
【図２】図１に示すデジタルカメラの電気回路構成を示すブロック図である。
【図３】撮影部と録音部との結合状態に応じた、撮影レンズの位置を調節するモータの制御特性を表し、同図（ａ）は、撮影部と録音部とが分離した状態、または撮影部と録音部とが結合した状態であっても録音部が使用されていない状態のモータ制御特性を示すグラフ、同図（ｂ）は、撮影部と録音部とが結合した状態のモータ制御特性を示すグラフである。
【図４】撮影部と録音部との結合状態に応じた、録音処理部が録音する音の録音レベル特性を表したグラフである。
【発明を実施するための形態】
【００１８】
次に、本発明による録音機能付撮影装置をデジタルカメラに適用した場合における、本発明を実施するための一形態について説明する。
【００１９】
図１は、本発明の一実施形態によるデジタルカメラ１の外観の略図を示し、（ａ）はデジタルカメラ１の正面図、（ｂ）はデジタルカメラ１の背面図、（ｃ）はデジタルカメラ１を分離させた状態の正面図である。
【００２０】
デジタルカメラ１は、被写体を撮影して記録する、バッテリを内蔵したカメラ本体に形成された撮影部２と、周囲の音を録音して記録する、補助バッテリを内蔵したバッテリパックに形成された録音部３とから構成され、撮影部２と録音部３とは分離可能に構成されている。撮影部２と録音部３とが分離された場合には、撮影部２はカメラ本体に内蔵されたバッテリから電源供給を受けて動作し、録音部３はバッテリパックに内蔵された補助バッテリから電源供給を受けて動作する。
【００２１】
撮影部２は、上面に撮影用のレリーズボタン４、正面中央部に被写体光をカメラ内部に導く撮影レンズ５、背面にＬＣＤ（Liquid Crystal Display）表示パネル６が設けられている。このＬＣＤ表示パネル６には、構図をとるための被写体像のスルー画や、撮影した画像の再生画、各種の設定を行うためのメニュー画面等が表示される。また、ＬＣＤ表示パネル６の左上部にはスピーカ７が設けられている。このスピーカ７は、録音部３で録音された音を出力する。また、撮影部２には、撮影データを記録するメモリカードを挿入する図示しないカードスロット、および図示しない録音ボタンが設けられている。この図示しない録音ボタンは、撮影部２と録音部３が結合されている際に、撮影部２で録音部３における録音の開始と終了を操作するのに用いられる。
【００２２】
録音部３は、正面中央部に録音ボタン８、左右の両端部に周囲の音を集音するマイク９Ｌ，９Ｒ、背面に赤色または緑色で発光するＬＥＤ（Light Emitting Diode）１０が設けられている。録音ボタン８は、同図（ｃ）に示すように録音部３を撮影部２から分離させた際に、録音部３単独で録音の開始と終了を操作するのに用いられる。
【００２３】
図２は、図１に示すデジタルカメラ１の電気回路構成を示すブロック図である。なお、同図において図１と同一部分には同一符号を付して説明する。
【００２４】
撮影部２は、ＣＰＵ（Central Processing Unit）を有する撮影用マイクロコントローラ２１を備えている。この撮影用マイクロコントローラ２１は、レリーズボタン４等からなる撮影部設定部材２０の操作に応じて、図示しない内蔵のデータＲＯＭ（Read Only Memory）に格納されている制御プログラムに従い、図示しないＲＡＭ（Random Access Memory）を一時記憶作業領域として、撮影部２内部の各回路について種々の制御処理を行い、画像の撮影動作を司る。
【００２５】
撮影レンズ５によってカメラ内部に導かれた被写体光は、撮像素子を構成するＣＣＤ（Charge Coupled Device）２２の受光面に入射する。なお、撮像素子はＣＣＤ２２に限られず、ＣＭＯＳ（Complementary Metal Oxide Semiconductor）などを用いてもよい。ＣＣＤ２２は、図示しないＴＧ（Timing Generator）によって生成されるタイミングに従い、受光面に入射する被写体光を電荷として蓄積して、被写体像を撮像する。ＣＣＤ２２は、被写体を撮影する撮影手段を構成している。ＣＣＤ２２に被写体像が撮像される際、撮影用マイクロコントローラ２１は、焦点調節機構２８を制御してモータを駆動させ、オートフォーカス（ＡＦ：Auto Focus）機能を働かせる。焦点調節機構２８は、例えば、ＣＣＤ２２の受光面上に投影される被写体像のコントラストが最も高くなるように撮影レンズ５の位置をモータの駆動によって移動させ、焦点を自動調整する。
【００２６】
ＣＣＤ２２の受光面に結像した被写体像は、アナログの撮像信号に変換される。変換された撮像信号は、図示しないＡ／Ｄ変換部においてデジタル信号に変換される。画像処理部２３は、デジタル信号に変換された撮像信号をバスを介して取得し、取得した撮像信号に対して、ホワイトバランス処理やガンマ補正などの画像処理を行い、撮影された画像の画像データを生成する。画像処理部２３により生成された画像データは、画像圧縮制御部２４へ出力される。画像圧縮制御部２４は、画像処理部２３から入力される画像データに圧縮処理を施して圧縮画像データを作成し、図示しない画像バッファメモリに格納する。記録制御部２５は、画像バッファメモリに格納された画像データを撮影用マイクロコントローラ２１の制御に従ってメモリカード等の記録部２６に記録する。撮影用マイクロコントローラ２１、画像処理部２３、画像圧縮制御部２４、記録制御部２５および記録部２６は、ＣＣＤ２２によって撮影された画像を画像データとして記録する画像データ記録手段を構成しており、撮影部２は、撮影手段および画像データ記録手段から構成されている。また、圧縮画像データは、撮影用マイクロコントローラ２１の制御の下で、ＬＣＤドライバ２７によってＬＣＤ表示パネル６に撮影画像として表示される。
【００２７】
また、撮影用マイクロコントローラ２１には、録音部３側と通信を行うための通信制御部３０が接続されている。通信制御部３０は、録音部３とＵＳＢ（Universal Serial Bus）などで接続され、録音部３によって録音された録音データを撮影用マイクロコントローラ２１の制御の下で撮影部２内に取り込み、記録制御部２５によって記録部２６に記録させる。また、撮影用マイクロコントローラ２１には、録音再生部２９を介してスピーカ７が接続されている。録音再生部２９は、撮影用マイクロコントローラ２１の制御の下、記録部２６に記録された音をスピーカ７から出力させる。
【００２８】
録音部３は、ＣＰＵを有する録音用マイクロコントローラ３１を備えている。この録音用マイクロコントローラ３１は、録音ボタン８などからなる録音部設定部材３２の操作、または、撮影部２に設けられている録音ボタンの操作に応じて、図示しない内蔵のデータＲＯＭに格納されている制御プログラムに従い、図示しないＲＡＭを一時記憶作業領域として、録音部３内部の各回路について種々の制御処理を行い、録音動作を司る。
【００２９】
録音部３の周囲の音は、左チャンネル用のマイク９Ｌおよび右チャンネル用のマイク９Ｒによって集音され、アナログ信号として録音処理部３３に出力される。録音処理部３３は、録音用マイクロコントローラ３１の制御の下、マイク９Ｌ，９Ｒから入力されたアナログ信号をＡ／Ｄ変換してデジタル信号に変換する。録音圧縮制御部３４は、録音用マイクロコントローラ３１の制御の下、録音処理部３３でデジタル信号に変換されて入力された録音データを所定の比率で圧縮する圧縮処理を施して、圧縮録音データを作成し、録音バッファメモリ３５に格納する。録音バッファメモリ３５は、ＥＥＰＲＯＭ（Electrically Erasable Programmable Ｒead Ｏnly Ｍemory）などの電気的読み書き可能な不揮発性メモリ、またはＲＡＭなどのバッファメモリのいずれで構成してもよいが、不揮発性メモリであれば、バッテリパックのバッテリが外されても、データを記憶しておくことができる。マイク９Ｌ，９Ｒは、集囲の音を集音する集音手段を構成し、録音用マイクロコントローラ３１、録音処理部３３、録音圧縮制御部３４および録音バッファメモリ３５は、集音手段によって集音された音を音声データとして記録する音声データ記録手段を構成している。すなわち、録音部３は、集音手段および音声データ記録手段から構成され、撮影部２から分離された場合にはバッテリパックに内蔵された補助バッテリから電源供給を受けるので、撮影部２から分離した状態で集音手段および音声データ記録手段が動作可能に構成されている。
【００３０】
録音用マイクロコントローラ３１には、録音インジケータを構成するＬＥＤ１０が接続されている。録音用マイクロコントローラ３１は、録音処理部３３によって録音が行われていない状態ではＬＥＤ１０を緑色に点灯させ、録音ボタン８もしくは撮影部２に設けられている録音ボタンが操作されて録音状態になると、ＬＥＤ１０を赤色に点灯させる制御を行う。また、録音用マイクロコントローラ３１は、録音を行っている状態時に図示しない一時停止ボタンが操作されて録音待機状態になると、ＬＥＤ１０を赤色で点滅させる制御を行う。また、録音用マイクロコントローラ３１には通信制御部３６が接続されており、通信制御部３６は、撮影部２に設けられた通信制御部３０と上述したようにＵＳＢなどで接続される。
【００３１】
通信制御部３０と通信制御部３６との接続は、撮影用マイクロコントローラ２１および録音用マイクロコントローラ３１のそれぞれによって検出される。撮影用マイクロコントローラ２１および録音用マイクロコントローラ３１は、撮影部２と録音部３との結合状態を検出する結合状態検出手段を構成している。撮影用マイクロコントローラ２１は、通信制御部３０と通信制御部３６との接続を検出し、撮影部２と録音部３とが結合状態であることを検出すると、通信制御部３０および通信制御部３６を介し、録音用マイクロコントローラ３１に対して、録音バッファメモリ３５に格納されている圧縮録音データの出力を要求する信号を送信する。録音用マイクロコントローラ３１は、この信号を受信すると、録音バッファメモリ３５に圧縮録音データが格納されているか否かを確認し、録音バッファメモリ３５に圧縮録音データが格納されている場合には、格納されている圧縮録音データおよびその作成時刻データを撮影部２へ出力する。この出力が完了すると、録音用マイクロコントローラ３１は、データ送信完了の信号を撮影用マイクロコントローラ２１へ出力する。一方、録音バッファメモリ３５に圧縮録音データが格納されていない場合には、録音用マイクロコントローラ３１は、出力データが無い旨の信号を撮影部２へ出力する。
【００３２】
撮影部２は、圧縮録音データおよびその作成時刻データが入力されると、撮影用マイクロコントローラ２１により、入力されたデータを記録制御部２５によって記録部２６に記録すると共に、入力された圧縮録音データと記録部２６に記録された画像データとを関連付ける関連データを作成する。関連データは、入力された圧縮録音データの作成時刻データが参照されて、その作成時刻データと同じ作成時刻データを有する記録部２６に記録された画像データに、入力された圧縮録音データが関連付けられるように作成される。撮影用マイクロコントローラ２１は、分離した録音部３が撮影部２と結合した際に、録音バッファメモリ３５に記録された音声データと記録部２６に記録された画像データとを関連付ける関連データを作成して、記録部２６に記録する関連データ作成記録手段を構成している。
【００３３】
また、撮影用マイクロコントローラ２１は、撮影部２と録音部３とが結合状態であることを検出すると、焦点調節機構２８を構成するモータに対して、合焦位置に撮影レンズ５を移動させるモータの速度を落とす制御を行わせる。
【００３４】
図３は、撮影部２と録音部３との結合状態に応じた、撮影レンズ５の位置を調節するモータの制御特性を表し、同図（ａ）は、撮影部２と録音部３とが分離した状態、または撮影部２と録音部３とが結合した状態であっても録音部３が使用されていない状態のモータ制御特性を示すグラフ、同図（ｂ）は、撮影部２と録音部３とが結合した状態のモータ制御特性を示すグラフである。これらグラフにおいて、横軸は時間［ｔ］、縦軸は撮影レンズ５のレンズ位置を表している。
【００３５】
同図（ａ）では、撮影レンズ５の初期位置Ｐ０から合焦する焦点位置Ｐ１に移動させるのに要する時間は、移動開始時刻ｔ０と移動完了時刻ｔ１との差のｔ１−ｔ０である。一方、同図（ｂ）では、撮影レンズ５の初期位置Ｐ０から合焦する焦点位置Ｐ１に移動させるのに要する時間は、移動開始時刻ｔ０と移動完了時刻ｔ２との差のｔ２−ｔ０であり、速度を落とす制御が行われる分、すなわちｔ２−ｔ１分だけ撮影レンズ５の移動完了が遅くなる。
【００３６】
また、録音用マイクロコントローラ３１は、撮影部２と録音部３とが結合状態であることを検出すると、録音処理部３３に対して、マイク９Ｌ，９Ｒから入力される音の録音レベルを、撮影レンズ５の位置を調節するモータが発生する雑音の周波数帯域において落とす制御をバンドパスフィルタ回路を用いて行わせる。
【００３７】
図４は、撮影部２と録音部３との結合状態に応じた、録音処理部３３が録音する音の録音レベル特性を表したグラフである。同グラフの横軸は録音周波数［ｆ］、縦軸は録音レベル［ｄＢ］を表している。また、同グラフの特性線Ａは撮影部２と録音部３とが分離した状態における特性、特性線Ｂは撮影部２と録音部３とが結合した状態における特性を示したものである。
【００３８】
同グラフから理解されるように、撮影部２と録音部３とが結合した状態の特性線Ｂでは、撮影部２と録音部３とが分離した状態の特性線Ａと比べて、バンドパスフィルタ回路を介すことにより、主に、撮影レンズ５の位置を調節するモータが発生する雑音の周波数帯域ｆ１〜ｆ２間において、録音レベルが低減されている。
【００３９】
撮影用マイクロコントローラ２１は、上記のように、結合状態検出手段により録音部３と撮影部２とが結合している状態が検出されると、ＣＣＤ２２に被写体像を取り込む撮影レンズ５の位置を調節するモータの駆動速度を制限する制御を行う。また、録音用マイクロコントローラ３１は、結合状態検出手段により録音部３と撮影部２とが結合している状態が検出されると、ＣＣＤ２２に被写体像を取り込む撮影レンズ５の位置を調節するモータが発生する雑音の周波数帯域ｆ１〜ｆ２において、音声データ記録手段が録音する音の録音レベルを低減する制御を行う。すなわち、撮影用マイクロコントローラ２１と録音用マイクロコントローラ３１は、結合状態検出手段により検出された状態に応じて、ＣＣＤ２２を用いた撮影動作または音声データ記録手段を用いた録音動作に対する制御を変える制御手段を構成している。
【００４０】
このような本実施形態によるデジタルカメラ１によれば、上述したように、分離した録音部３を撮影部２と結合させた際に、撮影用マイクロコントローラ２１により、録音バッファメモリ３５に記録された音声データと記録部２６に記録された画像データとを関連付ける関連データが作成されて、記録部２６に記録される。このため、記録部２６に記録された画像データの再生時には、その画像データに関連する音声データが、関連データが参照されて特定され、再生される。従って、記録部２６に記録された画像データと録音バッファメモリ３５に記録された録音データとを関連付けるために、従来のように別の機器を使用して処理する必要はなくなる。また、録音部３は、撮影部２から分離した状態でマイク９Ｌ，９Ｒおよび音声データ記録手段が動作可能なため、撮影者は、録音している位置からの撮影が最適でない場合に、録音部３と撮影部２を分離させて撮影に最適な位置に撮影部２を移動させて撮影が行える。このため、録音中であっても、撮影位置やフレーミングなど、撮影に制約が発生することはない。
【００４１】
また、本実施形態によるデジタルカメラ１によれば、撮影用マイクロコントローラ２１と録音用マイクロコントローラ３１により、撮影部２と録音部３との結合状態に応じて、撮影動作または録音動作に対する制御が変えられる。このため、撮影部２と録音部３とが結合した状態と分離した状態とに応じて、それぞれ最適な撮影データまたは音声データを取得する制御が行われる。
【００４２】
また、本実施形態によるデジタルカメラ１によれば、撮影用マイクロコントローラ２１によって録音部３と撮影部２とが結合している状態が検出されると、ＣＣＤ２２に被写体像を取り込む撮影レンズ５の位置を調節するモータの駆動速度を制限する制御が撮影用マイクロコントローラ２１によって行われる。このため、録音部３と撮影部２とが結合している状態では、撮影レンズ５の位置を調節するモータが発生する雑音が小さくなって、録音部３によって記録される音声データに雑音が混じり難くなり、録音の音質を向上させることができる。また、録音部３と撮影部２とが分離した状態では、撮影部２で、撮影レンズ５の位置を調節するモータの駆動速度を制限する制御が行われず、撮影レンズ５の位置調節は、録音しないで撮影を行う場合と同じ速度で行われる。このため、録音部３を分離して撮影を行う場合においては、撮影レンズ５の位置調節が迅速に行われるため、撮影機会を逃してしまう状況を低減させることができる。
【００４３】
また、本実施形態によるデジタルカメラ１によれば、撮影用マイクロコントローラ２１によって録音部３と撮影部２とが結合している状態が検出されると、ＣＣＤ２２に被写体像を取り込む撮影レンズ５の位置を調節するモータが発生する雑音の周波数帯域ｆ１〜ｆ２において、録音処理部３３が録音する音の録音レベルを低減させる制御が録音用マイクロコントローラ３１によって行われる。このため、録音部３と撮影部２とが結合している状態では、撮影レンズ５の位置を調節するモータが発生する雑音の録音レベルが低下し、録音の音質を向上させることができる。
【００４４】
なお、上記実施形態において、分離した録音部３が撮影部２と結合した際に、録音バッファメモリ３５に記録された圧縮録音データの複数ファイルと、記録部２６に記録された画像データの複数ファイルとを、関連データ作成記録手段が関連付けて関連データを作成して記録する構成にしてもよい。
【００４５】
例えば、講演会などで画像の撮影と共に音声を録音する場合、講演の休憩時間を挟んだ際に、休憩時間の前後で画像データおよび圧縮録音データが複数のファイルに分けられて記録部２６に記録される場合がある。このような場合にも、撮影用マイクロコントローラ２１が、各ファイルにおける圧縮録音データの作成時刻データを参照して、対応する画像データに関連する関連データを作成して記録しておくことにより、従来のように別の機器を使用して処理する必要なく、録音音声を画像の再生に関連付けることができる。
【００４６】
また、上述したデジタルカメラ１では、分離した録音部３が撮影部２と結合した際に録音バッファメモリ３５に記録された音声データと記録部２６に記録された画像データとを関連付ける関連データを作成して記録する関連データ作成記録手段を備えて構成した場合を説明したが、関連データ作成記録手段を備えずに録音機能付撮影装置を構成してもよい。
【００４７】
例えば、録音機能付撮影装置の撮影部２を、被写体を撮影する撮影手段、および撮影手段によって撮影された画像を画像データとして記録する画像データ記録手段から構成する。また、録音部３を、周囲の音を集音する集音手段、および集音手段によって集音された音を音声データとして記録する音声データ記録手段から構成し、バッテリパック内に形成して補助バッテリから電源供給を受けることで、撮影部２から分離した状態でマイク９Ｌ，９Ｒおよび音声データ記録手段を動作可能にする。さらに、録音機能付撮影装置に、録音部３と撮影部２との結合状態を検出する結合状態検出手段と、結合状態検出手段により検出された状態に応じて撮影手段を用いた撮影動作または音声データ記録手段を用いた録音動作に対する制御を変える制御手段を備える。
【００４８】
この構成では、制御手段によって、録音部３と撮影部２との結合状態に応じて、図３および図４を用いて説明したように、撮影動作または録音動作に対する制御が変えられる。このため、録音部３と撮影部２とが結合した状態と分離した状態とに応じて、それぞれ最適な撮影データまたは音声データを取得する制御が行われる。また、録音部３は、撮影部２から分離した状態でマイク９Ｌ，９Ｒおよび音声データ記録手段が動作可能なため、撮影者は、録音している位置からの撮影が最適でない場合に、録音部３と撮影部２を分離させて撮影に最適な位置に撮影部２を移動させて撮影が行える。このため、録音中であっても、撮影位置やフレーミングなど、撮影に制約が発生することはない。
【符号の説明】
【００４９】
１…デジタルカメラ、２…撮影部、３…録音部、５…撮影レンズ、８…録音ボタン、９Ｌ，９Ｒ…マイク、２１…撮影用マイクロコントローラ、２２…ＣＣＤ、２３…画像処理部、２４…画像圧縮制御部、２５…記録制御部、２６…記録部、２８…焦点調節機構、３０，３６…通信制御部、３１…録音用マイクロコントローラ、３３…録音処理部、３４…録音圧縮制御部、３５…録音バッファメモリ
【図１】
2011039379.tif 000003
【図２】
2011039379.tif 000004
【図３】
2011039379.tif 000005
【図４】
2011039379.tif 000006